(57)【要約】【課題】通信履歴印刷機能を有し、出力結果である印刷物の管理が容易であるファクシミリ装置を提供する。【解決手段】ファクシミリ装置１は、ファクシミリ通信の通信履歴を記憶する履歴記憶部１７ａと、通信履歴の印刷を行う通信履歴印刷部１５ａを備える。ファクシミリ装置１は、１ファクシミリ通信毎に、少なくとも該通信について通信履歴の印刷が済んでいるか否かを記憶する印刷情報記憶部１７ｃを有し、通信履歴印刷部１５ａが、少なくとも、最新の印刷済みの通信の通信履歴を含めて、過去に通信履歴が印刷済の通信と未印刷の通信とを識別可能に印刷する。【選択図】図１
2014057182.tif 000002
【特許請求の範囲】
【請求項１】
ファクシミリ通信の通信履歴を記憶する記憶部と、前記通信履歴の印刷を行う通信履歴印刷部を備えたファクシミリ装置において、
１ファクシミリ通信毎に、少なくとも該通信について通信履歴の印刷が済んでいるか否かを記憶する印刷情報記憶部を有し、
前記通信履歴印刷部は、少なくとも、最新の印刷済みの通信の通信履歴を含めて、過去に通信履歴が印刷済の通信と未印刷の通信とを識別可能に印刷することを特徴とするファクシミリ装置。
【請求項２】
前記識別可能な印刷は、１ファクシミリ通信毎に、印刷済みであるか未印刷であるかを示す記号を付して印刷することを特徴とする請求項１に記載のファクシミリ装置。
【請求項３】
前記識別可能な印刷は、未印刷の通信が所定件数に達したときに少なくとも１ファクシミリ通信の印刷済の通信履歴を加えて印刷することを特徴とする請求項１または２に記載のファクシミリ装置。
【請求項４】
前記識別可能な印刷は、印刷指示があったときに、所定数の通信履歴が印刷されるように、印刷済の通信の通信履歴を加えて行うことを特徴とする請求項１または２に記載のファクシミリ装置。
【発明の詳細な説明】
【技術分野】
【０００１】
本発明は、通信履歴印刷機能を有するファクシミリ装置に関する。
【背景技術】
【０００２】
従来、ファクシミリ装置として、ファクシミリ通信日時や、送信／受信先、送受信の結果、などを記憶し通信履歴として印刷するものがある。
特許文献１に開示のファクシミリ装置は、５０通信が行われた後や、ユーザに指定された転送日になったときに、通信履歴を集中管理装置に送信すると共に、同通信履歴をメモリに記憶し、予め登録されていた日に通信履歴を自動的に印刷する。
【先行技術文献】
【特許文献】
【０００３】
【特許文献１】特開２００４−１９２４６４号公報
【発明の開示】
【発明が解決しようとする課題】
【０００４】
しかし、特許文献１に開示のように通信履歴を印刷する際、単にその通信履歴のみを印刷するのでは、出力結果である印刷物の管理、例えば、印刷物の一部の紛失の有無等が難しい。
【０００５】
本発明は、上述のような実情を鑑みてなされたものであり、通信履歴印刷機能を有し、出力結果である印刷物の管理が容易であるファクシミリ装置を提供することをその目的とする。
【課題を解決するための手段】
【０００６】
上記課題を解決するために、本発明の第１の技術手段は、ファクシミリ通信の通信履歴を記憶する記憶部と、前記通信履歴の印刷を行う通信履歴印刷部を備えたファクシミリ装置において、１ファクシミリ通信毎に、少なくとも該通信について通信履歴の印刷が済んでいるか否かを記憶する印刷情報記憶部を有し、前記通信履歴印刷部が、少なくとも、最新の印刷済みの通信の通信履歴を含めて、過去に通信履歴が印刷済の通信と未印刷の通信とを識別可能に印刷することを特徴としたものである。
【０００７】
本発明の第２の技術手段は、第１の技術手段において、前記識別可能な印刷が、１ファクシミリ通信毎に、印刷済みであるか未印刷であるかを示す記号を付して印刷することを特徴としたものである。
【０００８】
本発明の第３の技術手段は、第１または第２の技術手段において、前記識別可能な印刷が、未印刷の通信が所定件数に達したときに少なくとも１ファクシミリ通信の印刷済の通信履歴を加えて印刷することを特徴としたものである。
【０００９】
本発明の第４の技術手段は、第１または第２の技術手段において、前記識別可能な印刷が、印刷指示があったときに、所定数の通信履歴が印刷されるように、印刷済の通信の通信履歴を加えて行うことを特徴としたものである。
【発明の効果】
【００１０】
本発明によれば、通信履歴印刷機能を有し、出力結果である印刷物の管理が容易であるファクシミリ装置を提供できる。
【図面の簡単な説明】
【００１１】
【図１】本発明のファクシミリ装置の構成例を説明するブロック図である。
【図２】図１のファクシミリ装置によるファクシミリ通信履歴の印刷結果の例を示す図である。
【図３】図１のファクシミリ装置によるファクシミリ通信履歴の印刷結果の他の例を示す図である。
【図４】図１のファクシミリ装置によるファクシミリ通信履歴印刷処理の一例を説明するフローチャートである。図６〜図８は、図１のファクシミリ装置１によるファクシミリ通信履歴の印刷結果の例を示す図である。
【図５】図１のファクシミリ装置によるファクシミリ通信履歴印刷処理の一例を説明するフローチャートである。
【図６】図１のファクシミリ装置１によるファクシミリ通信履歴の印刷結果の別の例を示す図である。
【図７】図１のファクシミリ装置１によるファクシミリ通信履歴の印刷結果の別の例を示す図である。
【図８】図１のファクシミリ装置１によるファクシミリ通信履歴の印刷結果の別の例を示す図である。
【発明を実施するための最良の形態】
【００１２】
図１は、本発明のファクシミリ装置の構成例を説明するブロック図である。
図１のファクシミリ装置１は、スキャナ部１１、操作部１２、表示部１３、ファクシミリ通信部１４、印刷部１５、制御部１６、記憶部１７、時計部１８を備える。
【００１３】
スキャナ部１１は、自動原稿搬送部（ＡＤＦ：Auto Document Feeder）等を有するもので、原稿を光学的に読取り、当該原稿の画像データを生成する。
操作部１２は、テンキー、ファクシミリ送信実行キー等を有する操作パネルや、表示部１３前面に設けられたタッチパネル等から構成されるもので、ファクシミリ装置１をユーザが操作するためのものである。
表示部１３は、液晶表示装置等から構成されるもので、ファクシミリ通信の相手先のファクシミリ番号等の情報や、ファクシミリ装置１の状態の情報等を表示する。
【００１４】
ファクシミリ通信部１４は、画像データを送受信するためのもので、スキャナ部１１が生成した原稿の画像データに各種画像処理を施したファクシミリ送信データを生成し、操作部１２を介して指定された宛先ファクシミリ番号に送信する処理や、他のファクシミリ装置から送信データを受信する処理を行う。
【００１５】
印刷部１５は、ファクシミリ通信部１４を介して受信したデータの印刷等の各種印刷を行うためのものであり、ファクシミリ通信履歴を印刷する通信履歴印刷部１５ａを有する。
制御部１６は、例えばＣＰＵ（Central Processing Unit）から成るもので、ファクシミリ装置１の全体を制御する。
記憶部１７は、ハードディスクドライブ（ＨＤＤ）などの記憶媒体からなり各種データを記憶するものであり、宛先のファクシミリ番号と宛先名とを対応付けて記憶する電話帳部１７ａと、ファクシミリ通信履歴として、ファクシミリ通信日時、宛先、通信結果を１通信毎に記憶する通信履歴記憶部１７ｂと、通信履歴の印刷が済んでいるか否かの情報を１ファクシミリ通信毎について記憶する印刷情報記憶部１７ｃと、を有する。
時計部１８は、現在の日時を計時するためのものである。
【００１６】
上述のような構成を有するファクシミリ装置１は、通常のファクシミリ送受信処理を行う他、所定のタイミングで自動的に、あるいは、操作部１２を介したユーザの指示に基づいて、通信履歴印刷部１５ａにより、ファクシミリ通信履歴を印刷する。所定のタイミングとは、例えば、ファクシミリ通信回数が所定回数を超える毎または所定日時になる毎である。なお、上記所定回数及び所定日時は、デフォルトで指定されてもよいし、操作部１２を介してユーザにより指定されてもよい。また、所定回数及び所定日時の情報は記憶部１７に記憶される。
【００１７】
そして、ファクシミリ装置１では、通信履歴印刷部１５ａによる通信履歴の印刷時に、印刷情報記憶部１７ｃに記憶の情報を基に、少なくとも、最新の印刷済みの通信の通信履歴を含めて、過去に通信履歴が印刷済の通信と未印刷の通信とを識別可能に印刷する。
【００１８】
図２及び図３は、図１のファクシミリ装置１によるファクシミリ通信履歴の印刷結果の例を示す図である。
ファクシミリ装置１は、上述のように、ファクシミリ通信履歴を印刷することができ、その印刷が、当該装置１が設置されてから初めての印刷であれば、例えば、図２の印刷物Ａを印刷する。
【００１９】
印刷物Ａでは、通信履歴記憶部１７ｂに記憶されている直近５０件の通信履歴として、通信日時Ａ１、宛先Ａ２、通信結果Ａ３が１通信毎に印刷されると共に、当該印刷を行った日時Ａ４が印刷され、さらに、１通信毎に、当該通信について通信履歴印刷が済んでいるか否かを示す記号Ａ５が印刷されている。この印刷物Ａは、初めての通信履歴印刷結果であるので、印刷物Ａの通信履歴印刷を行ったか否かの情報Ａ５として、「過去に未印刷」であることを意味する「未」が印刷されている。
【００２０】
ファクシミリ装置１は、印刷物Ａの印刷後、印刷情報記憶部１７ｃに記憶されている通信履歴の印刷が済んでいるか否かの情報を更新する。
なお、印刷物Ａの通信結果Ａ３において、「ＯＫ」は「通信が完了」したことを意味し、「ＮＧ」（後述の図３参照）は「通信が失敗」したことを意味する。
【００２１】
また、ファクシミリ装置１は、印刷物Ａの印刷後、すなわち、最初のファクシミリ通信履歴印刷の後、次にファクシミリ通信履歴の印刷を行う際は、例えば、図３の印刷物Ｂを印刷する。
印刷物Ｂにおける通信日時Ｂ１、宛先Ｂ２、通信結果Ｂ３、当該ファクシミリ通信履歴の印刷を行った日時Ｂ４は、印刷物Ａにおける通信日時Ａ１、宛先Ａ２、通信結果Ａ３、印刷を行った日時Ａ４と同様のものである。また、「ＯＫ」、「ＮＧ」の意味は上述の通りである。
【００２２】
印刷物Ｂにおいて、図２の印刷物Ａと異なる点は、通信履歴印刷を既に行っている通信については、上記印刷を行ったか否かの情報Ｂ５として「過去に印刷済み」であることを意味する「済」が印刷されている点である。印刷物Ｂには、少なくとも、上記情報Ｂ５が「済」となる通信であって、すなわち、通信履歴印刷を既に行った通信であって、最新の通信が含まれている。
【００２３】
このように、ファクシミリ装置１では、２回目以降のファクシミリ通信履歴印刷の際、印刷物Ｂのように、少なくとも、最新の印刷済みの通信の通信履歴を含めるとともに、通信履歴を印刷済の通信と未印刷の通信とを識別可能に印刷するため、印刷物をファイリングして管理する際などに、印刷物の紛失の有無などを発見しやくすることができ、印刷物の管理を容易にすることができる。
【００２４】
図１〜図３を参照し、図４〜図８を用いて図１のファクシミリ装置１のファクシミリ通信履歴印刷処理の一例を説明する。
図４及び図５は、上記ファクシミリ通信履歴印刷処理の一例を説明するフローチャートである。図６〜図８は、図１のファクシミリ装置１によるファクシミリ通信履歴の印刷結果の例を示す図である。
【００２５】
なお、図６の印刷物Ｃにおける通信日時Ｃ１、宛先Ｃ２、通信結果Ｃ３、当該ファクシミリ通信履歴の印刷を行った日時Ｃ４、通信履歴印刷を行ったか否かの情報Ｃ５は、印刷物Ｂにおける通信日時Ｂ１、宛先Ｂ２、通信結果Ｂ３、印刷を行った日時Ｂ４、通信履歴印刷を行ったか否かの情報Ｂ５と同様のものであり、図７，図８の印刷物Ｄ，Ｅにおける通信日時Ｄ１，Ｅ１、宛先Ｄ２，Ｅ２、通信結果Ｄ３，Ｅ３、印刷を行った日時Ｄ４，Ｅ４、通信履歴印刷を行ったか否かの情報Ｄ５，Ｅ５についても同様である。
【００２６】
図４に示すように、ファクシミリ装置１は、ファクシミリ送受信があったか否か判定し（ステップＳ１）、あった場合（ＹＥＳの場合）、ステップＳ２へ処理を進め、なかった場合（ＮＯの場合）、図５の処理へ進める。
ステップＳ２では、履歴記憶部１７ｂでの最大記憶件数（この例では５０件）記憶されているか否か判定し、記憶されていない場合（ＮＯの場合）、すなわち、履歴記憶部１７ｂに空き領域がある場合、当該空き領域に今回受信した通信の履歴を記憶し（ステップＳ３）、処理をステップＳ７に進める。また、ステップＳ２において、記憶されている場合（ＹＥＳの場合）、印刷情報記憶部１７ｃに記憶の情報を基に、既に通信履歴印刷を行っている通信を抽出し（ステップＳ４）、抽出した通知のうち最も古い時間に通信した通信を特定し（ステップＳ５）、該特定した通信に上書きするようにして、今回受信した通信の履歴を記憶する（ステップＳ６）、処理をステップＳ７に進める。
【００２７】
ステップＳ７では、印刷情報記憶部１７ｃに記憶の情報を基に、通信履歴を印刷済の通信があるか否か判定する。
ステップＳ７において、印刷済みの通信がない場合（ＮＯの場合）、未印刷の通信履歴が５０件であるか否か判定し（ステップＳ８）、５０件に到達してない場合（ＮＯの場合）、処理をステップＳ１に戻し、５０件に到達していた場合（ＹＥＳの場合）、処理をステップＳ９へ進める。
【００２８】
ステップＳ９では、ファクシミリ装置１は、履歴記憶部１７ｂに記憶されている全ての通信履歴を抽出する。そして、ファクシミリ装置１は、印刷情報記憶部１７ｃに記憶の情報を基に、通信履歴印刷部１５ａを用いて、印刷済みか否かの情報も含めて通信履歴を印刷し（ステップＳ１０）、ステップＳ１１へ処理を進める。なお、ステップＳ８において、ＹＥＳの場合、すなわち、未印刷の通信履歴が５０件となった場合のステップＳ９及びステップＳ１０の処理により、図２の印刷物Ａが印刷される。
【００２９】
ステップＳ１１では、ファクシミリ装置１は、印刷情報記憶部１７ｃに記憶の印刷済みか否かの情報を更新する。
【００３０】
また、ステップＳ１においてファクシミリ送受信がなかった場合（ＮＯの場合）、図５に示すように、操作部１２を介した手動による印刷指示があったか否か判定する（ステップＳ２１）。印刷指示があった場合（ＹＥＳの場合）、ステップＳ２３へ処理を進め、一方、印刷指示がない場合（ＮＯの場合）、現在の時刻が通信履歴印刷時刻として設定された時刻か否か判定し（ステップＳ２２）、設定された時刻でない場合（ＮＯの場合）、処理を図４のステップＳ１に戻し、設定された時刻であった場合（ＹＥＳの場合）、ステップＳ２３へ処理を進める。
【００３１】
ステップＳ２３では、履歴記憶部１７ｂに通信履歴が記憶されている通信が、通信履歴印刷が行われていないもののみか否か判定する。
【００３２】
ステップＳ２３において、通信履歴印刷が行われていない通信のみである場合（ＹＥＳの場合）、図４のステップＳ９に処理を移行し、ステップＳ９及びステップＳ１０の処理を行う。当該処理により、図２の印刷物Ａに似た、通信履歴印刷が済んでいるか否かを示す記号Ａ５として「過去に未印刷」であることを意味する「未」が全ての通信について印刷された印刷物が印刷される。
【００３３】
また、ステップＳ２３において、通信履歴印刷が行われていない通信のみでない場合（ＮＯの場合）、すなわち、通信履歴が印刷済みの通信も履歴記憶部１７ｂに記憶されている場合、印刷モードが、印刷済の通信のうち最新のもののみ印刷するモードか否か判定する（ステップＳ２４）。
【００３４】
ステップＳ２４において、上記最新のもののみ印刷するモードでない場合（ＮＯの場合）、図４のステップＳ９に処理を移行し、ステップＳ９及びステップＳ１０の処理を行う。当該処理により、通信履歴印刷が済んでいるか否かを示す記号Ｂ５，Ｃ５として「過去に印刷済み」であることを意味する「済」が付された通信を含む図３の印刷物Ｂや図６の印刷物Ｃが印刷される。
【００３５】
また、ステップＳ２４において、上記最新のもののみ印刷するモードである場合（ＹＥＳの場合）、未印刷の通信の履歴と印刷済の最新の通信の履歴とを抽出し（ステップＳ２５）、図４のステップＳ１０に処理を移行し、ステップＳ１０の処理を行う。当該処理により、通信履歴印刷が済んでいるか否かを示す記号Ｄ５として「過去に印刷済み」であることを意味する「済」が付された通信を１つ含む図７の印刷物Ｄが印刷される。
【００３６】
図４の説明に戻る。
ステップＳ７において、通信履歴が印刷済みの通信がある場合（ＹＥＳの場合）、履歴記憶部１７ｂに５０件の通信が記憶され、すなわち、履歴記憶部１７ｂに空き領域がなく、且つ通信履歴が印刷済みの通信が１件であるか否か判定し（ステップＳ１２）、当該条件を満たさない場合（ＮＯの場合）、処理をステップＳ１に戻し、また、満たす場合（ＹＥＳの場合）、ステップＳ９に処理を移行し、ステップＳ９及びステップＳ１０の処理を行う。当該処理により、通信履歴印刷が済んでいるか否かを示す記号Ｅ５として「過去に印刷済み」であることを意味する「済」が付された通信を１つ含むと共に５０件分の通信履歴が記載された図８の印刷物Ｅが印刷される。
【符号の説明】
【００３７】
１…ファクシミリ装置、１１…スキャナ部、１２…操作部、１３…表示部、１４…ファクシミリ通信部、１５…印刷部、１５ａ…通信履歴印刷部、１６…制御部、１７…記憶部、１７ａ…電話帳部、１７ｂ…履歴記憶部、１７ｃ…印刷情報記憶部、１８…時計部。
【図１】
2014057182.tif 000003
【図２】
2014057182.tif 000004
【図３】
2014057182.tif 000005
【図４】
2014057182.tif 000006
【図５】
2014057182.tif 000007
【図６】
2014057182.tif 000008
【図７】
2014057182.tif 000009
【図８】
2014057182.tif 000010